(57)【要約】【課題】煩わしい操作を行うことなく、イベントに関連した情報を含む、ＳＮＳからの投稿メッセージを容易に取得して出力させることのできる情報処理装置を提供することである。【解決手段】位置を表す位置情報を取得する位置情報取得手段（Ｓ３１）と、現在の日付を表す日付情報を取得する日付情報取得手段（Ｓ３２）と、取得された日付情報にて表される日付に、取得された位置情報に基づいて特定される場所で開催されるイベントを表すイベント情報を取得するイベント情報取得手段（Ｓ３３）と、取得されたイベント情報に基づいてキーワードを生成するキーワード生成手段（Ｓ２５）と、生成されたキーワードに関連する、前記ソーシャルネットワーキングサービスからの投稿メッセージを選択的に取得するメッセージ選択取得手段（Ｓ２６）とを有し、該メッセージ選択取得手段にて取得された投稿メッセージを出力する構成となる。【選択図】図５
2015219748.tif 000002
【特許請求の範囲】
【請求項１】
ソーシャルネットワーキングサービスが提供する投稿メッセージを取得して出力する情報処理装置であって、
当該情報処理装置の位置を表す位置情報を取得する位置情報取得手段と、
現在の日付を表す日付情報を取得する日付情報取得手段と、
該日付情報取得手段により取得された日付情報にて表される日付に、前記位置情報取得手段により取得された位置情報に基づいて特定される場所で開催されるイベントを表すイベント情報を取得するイベント情報取得手段と、
該イベント情報取得手段にて取得されたイベント情報に基づいてキーワードを生成するキーワード生成手段と、
該キーワード生成手段にて生成されたキーワードに関連する、前記ソーシャルネットワーキングサービスからの投稿メッセージを選択的に取得するメッセージ選択取得手段とを有し、
該メッセージ選択取得手段にて取得された投稿メッセージを出力する情報処理装置。
【請求項２】
前記メッセージ選択取得手段は、前記キーワードを含む投稿メッセージを選択的に取得する請求項１記載の情報処理装置。
【請求項３】
ナビゲーション装置が搭載された車両に搭載され、ソーシャルネットワーキングサービスが提供する投稿メッセージを取得して出力する情報処理装置であって、
前記ナビゲーション装置により設定された目的地を表す目的地情報を取得する目的地情報取得手段と、
現在の日付を表す日付情報を取得する日付情報取得手段と、
該日付情報取得手段により取得された日付情報にて表される日付に、前記目的地情報取得手段により取得された目的地情報に基づいて特定される場所で開催されるイベントを表すイベント情報を取得するイベント情報取得手段と、
該イベント情報取得手段にて取得されたイベント情報に基づいてキーワードを生成するキーワード生成手段と、
該キーワード生成手段にて生成されたキーワードに関連する、前記ソーシャルネットワーキングサービスからの投稿メッセージを選択的に取得するメッセージ選択取得手段とを有し、
該メッセージ選択取得手段にて取得された投稿メッセージを出力する情報処理装置。
【請求項４】
前記車両が前記目的地に到着した後、その目的地を発進したことを検出する車両目的地発進検出手段を有し、
前記メッセージ選択取得手段は、前記車両が前記目的地を発進したことを前記車両目的地発進検出手段が検出した後に、前記キーワードに関連する、前記ソーシャルネットワーキングサービスからの投稿メッセージを選択的に取得する請求項３記載の情報処理装置。
【請求項５】
前記イベント情報取得手段は、前記車両が前記目的地を発進したことを前記車両目的地発進検出手段が検出したときに、前記イベント情報を取得する請求項４記載の情報処理装置。
【請求項６】
前記目的地情報取得手段は、前記車両が前記目的地に到着したときに、前記目的地情報を取得する請求項４または５記載の情報処理装置。
【請求項７】
前記日付情報取得手段は、前記目的地情報取得手段が前記目的地情報を取得する際に、現在の日付を取得する請求項６記載の情報処理装置。
【発明の詳細な説明】
【技術分野】
【０００１】
本発明は、ツイッター（登録商標）やフェイスブック（登録商標）等のソーシャルネットワーキングサービス（ＳＮＳ）が提供する投稿メッセージを取得して、表示等出力する情報処理装置に関する。
【背景技術】
【０００２】
ツイッター（登録商標）やフェイスブック（登録商標）等のソーシャルネットワーキングサービス（以下、ＳＮＳという）では、スマートフォン等の携帯端末機（情報処理装置）を用いて種々のメッセージを投稿することができ、その投稿されたメッセージをスマートフォン等の携帯端末機を用いて閲覧することができる（例えば、特許文献１参照）。このようなメッセージの投稿及び閲覧を通して、利用者による情報発信及び情報収集を支援し、更に、利用者間のコミュニケーションを図ることができる。
【０００３】
ところで、利用者がＳＮＳによって関心のある情報を得るために、携帯端末機においてその関心のある情報に関連するキーワードを指定してＳＮＳから投稿メッセージを選択的に取得することができる。携帯端末機では、そのキーワードに関連するものとして取得された投稿メッセージが表示画面に表示（出力）され、利用者は、表示された投稿メッセージから自分の関心のある情報を確認することができる。
【０００４】
例えば、コンサート等のイベントに参加した利用者が、そのイベントからの帰りに、当該イベントに関連する投稿メッセージを閲覧したい場合には、携帯端末機において、イベント名等をキーワードとして指定し、そのキーワードに関連する投稿メッセージをＳＮＳから選択的に取得して表示させることができる。これにより、利用者は、携帯端末機に表示される投稿メッセージから、前記イベントに参加した人達の感想やそのイベントに関心のある人達からのコメント等を知ることができる。
【先行技術文献】
【特許文献】
【０００５】
【特許文献１】特開２０１３−１３４７３８号公報
【発明の概要】
【発明が解決しようとする課題】
【０００６】
上述したＳＮＳによって提供される投稿メッセージを取得して表示（出力）する携帯端末機（情報処理装置）では、利用者は、自身が関心のあるイベントに関連したキーワードを決めて、そのキーワードの入力操作等、投稿メッセージを取得するための操作を行わなければならず、その操作を煩わしく感じることがある。特に、車両を運転してイベント会場から自宅に帰る者が、そのイベントに関連する投稿メッセージをＳＮＳから取得する場合、車両をパーキングエリアや路肩に止めた状態で携帯端末機の操作を行わなければならず、更に、その操作が煩わしい。
【０００７】
本発明は、このような事情に鑑みてなされたもので、煩わしい操作を行うことなく、イベントに関連した情報を含む、ＳＮＳからの投稿メッセージを容易に取得して出力させることのできる情報処理装置を提供するものである。
【課題を解決するための手段】
【０００８】
本発明に係る情報処理装置は、ソーシャルネットワーキングサービスが提供する投稿メッセージを取得して出力する情報処理装置であって、当該情報処理装置の位置を表す位置情報を取得する位置情報取得手段と、現在の日付を表す日付情報を取得する日付情報取得手段と、該日付情報取得手段により取得された日付情報にて表される日付に、前記位置情報取得手段により取得された位置情報に基づいて特定される場所で開催されるイベントを表すイベント情報を取得するイベント情報取得手段と、該イベント情報取得手段にて取得されたイベント情報に基づいてキーワードを生成するキーワード生成手段と、該キーワード生成手段にて生成されたキーワードに関連する、前記ソーシャルネットワーキングサービスからの投稿メッセージを選択的に取得するメッセージ選択取得手段とを有し、該メッセージ選択取得手段にて取得された投稿メッセージを出力する構成となる。
【０００９】
このような構成により、現在の日付を表す日付情報と当該情報処理装置の位置を表す位置情報が取得されると、その日付情報にて表される日付に、前記位置情報に基づいて特定される場所で開催されるイベントを表すイベント情報が取得される。そして、そのイベント情報に基づいて生成されるキーワードに関連する、ソーシャルネットワーキングサービスからの投稿メッセージが選択的に取得されて出力される。
【００１０】
本発明に係る情報処理装置において、前記メッセージ選択取得手段は、前記キーワードを含む投稿メッセージを選択的に取得する構成とすることができる。
【００１１】
このような構成により、イベント情報に基づいて生成されるキーワードを含む投稿メッセージが、当該キーワードに関連する投稿メッセージとして選択的に取得されて出力される。
【００１２】
また、本発明に係る情報処理装置は、ナビゲーション装置が搭載された車両に搭載され、ソーシャルネットワーキングサービスが提供する投稿メッセージを取得して出力する情報処理装置であって、前記ナビゲーション装置により設定された目的地を表す目的地情報を取得する目的地情報取得手段と、現在の日付を表す日付情報を取得する日付情報取得手段と、該日付情報取得手段により取得された日付情報にて表される日付に、前記目的地情報取得手段により取得された目的地情報に基づいて特定される場所で開催されるイベントを表すイベント情報を取得するイベント情報取得手段と、該イベント情報取得手段にて取得されたイベント情報に基づいてキーワードを生成するキーワード生成手段と、該キーワード生成手段にて生成されたキーワードに関連する、前記ソーシャルネットワーキングサービスからの投稿メッセージを選択的に取得するメッセージ選択取得手段とを有し、該メッセージ選択取得手段にて取得された投稿メッセージを出力する構成となる。
【００１３】
このような構成により、ナビゲーション装置により設定された目的地を表す目的地情報が取得されるとともに、現在の日付を表す日付情報が取得されると、その日付情報にて表される日付に、前記目的地情報に基づいて特定される場所で開催されるイベントを表すイベント情報が取得される。そして、そのイベント情報に基づいて生成されるキーワードに関連する、ソーシャルネットワーキングサービスからの投稿メッセージが選択的に取得されて出力される。これにより、ナビゲーション装置によって目的地を設定して車両を運転する者は、イベントに関連したキーワードを設定する等の操作を行うことなく、その目的地に対応する場所で開催される（あるいは、開催された）イベントに関連する情報を含む投稿メッセージを確認することができる。
【００１４】
本発明に係る情報処理装置において、前記車両が前記目的地に到着した後、その目的地を発進したことを検出する車両目的地発進検出手段を有し、前記メッセージ選択取得手段は、前記車両が前記目的地を発進したことを前記車両目的地発進検出手段が検出した後に、前記キーワードに関連する、前記ソーシャルネットワーキングサービスからの投稿メッセージを選択的に取得する構成とすることができる。
【００１５】
このような構成により、車両が目的地に到着した後、その目的地を発進した後に、イベントを表すイベント情報に基づいて生成されるキーワードに関連する、ソーシャルネットワーキングサービスからの投稿メッセージを選択的に取得することができる。
【００１６】
本発明に係る情報処理装置において、前記イベント情報取得手段は、前記車両が前記目的地を発進したことを前記車両目的地発進検出手段が検出したときに、前記イベント情報を取得する構成とすることができる。
【００１７】
このような構成により、車両が目的地に到着した後、その目的地を発進した後に、その目的地に対応する場所で開催されるイベントを表すイベント情報が取得される。そして、そのイベント情報に基づいて生成されるキーワードに関連する、ソーシャルネットワーキングサービスからの投稿メッセージを選択的に取得することができる。
【００１８】
本発明に係る情報処理装置において、前記目的地情報取得手段は、前記車両が前記目的地に到着したときに、前記目的地情報を取得する構成とすることができる。
【００１９】
このような構成により、車両が目的地に到着したときに、当該目的地を表す目的地情報が取得される。
【００２０】
本発明に係る情報処理装置において、前記日付情報取得手段は、前記目的地情報取得手段が前記目的地情報を取得する際に、現在の日付を取得する構成とすることができる。
【００２１】
このような構成により、車両が目的地に到着したときに当該目的地を表す目的地情報が取得される際に、現在の日付が取得されるので、車両が目的地に到着した日に開催されるイベントに関連する情報を含む投稿メッセージを取得することができる。
【発明の効果】
【００２２】
本発明に係る情報処理装置によれば、取得される日付情報にて表される日付に、取得される位置情報に基づいて特定される場所で開催されるイベントを表すイベント情報に基づいてキーワードが生成され、そのキーワードに関連する、ソーシャルネットワーキングサービスからの投稿メッセージが選択的に取得されて出力されるので、当該情報処理端末装置を利用する利用者は、イベントに関連したキーワードを設定する等の煩わしい操作を行うことなく、当該情報処理端末装置の位置、即ち、利用者の位置に対応した場所で開催される前記イベントに関連した情報を含む投稿メッセージを確認することができる。
【図面の簡単な説明】
【００２３】
【図１】本発明の実施の形態に係る情報処理装置（車載装置）の構成を示すブロック図である。
【図２】図１に示す情報処理装置での処理の流れの一例（その１）を示すフローチャートである。
【図３】図１に示す情報処理装置での処理の流れの一例(その２）を示すフローチャートである。
【図４】投稿メッセージの表示例（出力例）を示す図である。
【図５】情報処理装置（携帯端末）での処理の流れの他の一例を示すフローチャートである。
【発明を実施するための形態】
【００２４】
以下、本発明の実施の形態について図面に基づいて説明する。
【００２５】
本発明の実施の一形態に係る情報処理装置は図１に示すように構成される。この情報処理装置は、目的地までの経路案内等の車両運転支援を行うナビゲーションユニットを有する車載装置である。
【００２６】
図１において、車載装置１００（情報処理装置）は、コンピュータユニット（例えば、ＣＰＵを含む）によって構成される処理ユニット１１を有している。処理ユニット１１には、各種の音源及び映像源（例えば、ＣＤ、ＤＶＤ等）の再生処理が可能なＡＶユニット１７、及び車両の目的地までの経路案内等のナビゲーション処理を行うナビゲーションユニット１８（ナビゲーション装置）が接続されている。また、処理ユニット１１には、スピーカ１６と接続される出力回路１５が接続されており、処理ユニット１１の制御のもと、ＡＶユニット１７及びナビゲーションユニット１８の処理に基づいた音声信号が出力回路１５を介してスピーカ１６に提供され、スピーカ１６から前記音声信号に基づいた音声が発せられる。更に、処理ユニット１１には、ＡＶユニット１７及びナビゲーションユニット１８にて利用される楽曲情報や地図情報等の各種情報が格納される記憶部１４（例えば、ハードディスクドライブ）と、ＬＣＤ等によって構成される表示部１３と、表示部１３上のタッチパネルを含み、処理に対する指示や各種情報を入力するために用いられる操作部１２とが接続されている。表示部１２は、処理ユニット１１の制御のもと、ＡＶユニット１７からの映像、ナビゲーションユニット１８での処理に基づいた地図や案内経路等の画像、後述するＳＮＳから取得される投稿メッセージ等の各種情報が表示される。
【００２７】
また、車載装置１００は、所定の移動体通信網を通してインターネット上のＳＮＳのサーバ等、情報提供を行う各種装置との通信を行う通信部１９を有している。通信部１９は、処理ユニット１１の制御のもと、ＳＮＳのサーバと通信を行って投稿メッセージを受信することができる。
【００２８】
車両の発進時に操作されるスイッチ、例えば、アクセサリスイッチ（ＡＣＣ）がオンされた後、車載機器１００において、操作部１２の操作によってＳＮＳからの投稿メッセージを取得するための機能が起動されると、処理ユニット１１は、図２に示す手順（その１）に従って処理を実行する。この場合、車両の乗員（例えば、運転者）は、あるイベントに向かうために、そのイベントの開催地に対応する目的地を設定するための操作を操作部１２において行なう。そして、ナビゲーションユニット１８は、操作部１２での操作に基づいて前記目的地を設定し、該目的地までの経路案内を行うためのナビゲーション処理を行う。
【００２９】
このような状況において、処理ユニット１１は、車両が発進したか否かを監視しており（Ｓ１１）、車両が発進したことを検出すると（Ｓ１１でＹＥＳ）、ナビゲーションユニット１８により目的地の設定がなされたか否かを判定する（Ｓ１２）。目的地が設定されていると（Ｓ１２でＹＥＳ）、以後、処理ユニット１１は、車両がその目的地に到着したか否かの判定を繰り返し実行する（Ｓ１３）。そして、処理ユニット１１は、車両が目的地に到着したと判定すると（Ｓ１３でＹＥＳ）、その目的地を表す目的地情報（例えば、目的地の地名を表す情報、目的地の住所を表す情報、目的地の位置（緯度・経度）を表す情報等）を取得して内部メモリに保存し（Ｓ１４：目的地情報取得手段）、現在の日付を表す日付情報（例えば、月日を表す情報）を取得して内部メモリに保存する（Ｓ１５：日付情報取得手段）。その後、処理ユニット１１は、一連の処理を終了させる。
【００３０】
なお、ナビゲーションユニット１８によって目的地が設定されていない場合（Ｓ１２でＮＯ）、処理ユニット１１は、目的地情報及び日付情報を取得することなく、一連の処理を終了させる。
【００３１】
車両が、前記イベントの開催地に対応する目的地に到着して、停車時に操作されるスイッチ、例えば、アクセサリスイッチ（ＡＣＣ）がオフ操作されて当該車両が停車した後、再び、アクセサリスイッチのオン操作（ＡＣＣ・ＯＮ）がなされると、処理ユニット１１は、前記イベントから帰るために車両が発進したと判断して（車両目的地発進検出手段）、以後、車両が走行している状態で、図３に示す手順（その２）に従って処理を実行する。
【００３２】
処理ユニット１１は、前記イベントの開催地に対応した目的地を表す目的地情報が内部メモリに保存されているか（図２におけるステップＳ１４参照）否かを判定する（Ｓ２１）。内部メモリに前記目的地情報が保存されていると（Ｓ２１でＹＥＳ）、処理ユニット１１は、前記内部メモリに格納されている日付情報（図２におけるステップ１５参照）が表す日付に、前記内部メモリに格納されている目的地情報にて特定される場所で開催されるイベントの検索処理を行う（Ｓ２２）。この検索処理は、例えば、通信部１９によってインターネット上の検索サイトにアクセスし、日付と場所とをキーワードにして開催イベントの検索を行う。その後、処理ユニット１１は、前記検索処理での結果に基づいて、前記日付情報にて表される日付に前記目的地情報に基づいて特定される場所で開催されるイベントがあるか否かを判定する（Ｓ２３）。
【００３３】
そのようなイベントがある場合（Ｓ２３でＹＥＳ）、処理ユニット１１は、例えば、そのイベントの名称、そのイベントに出演するグループの名称、そのイベントに出演する人の名前やニックネーム等、そのイベントを表すイベント情報を取得する（Ｓ２４：イベント情報取得手段）。そして、処理ユニット１１は、前記イベント情報に基づいてキーワードを生成する（Ｓ２５：キーワード生成手段）。例えば、イベント情報に含まれるイベントの名称、イベントに出演するグループの名前、イベントに出演する人の名前やニックネームのうちの一又は複数のものが、キーワードとして生成される。
【００３４】
上記のようにしてイベント情報に基づいてキーワードを生成すると、処理ユニット１１は、通信部１９を通してＳＮＳのサーバと通信を行い、そのキーワードを含む投稿メッセージを選択的にＳＮＳのサーバから取得する（Ｓ２６：メッセージ選択取得手段）。その後、処理ユニット１１は、取得した投稿メッセージに新たな投稿メッセージが含まれる場合（Ｓ２７でＹＥＳ）、投稿メッセージを表示する表示部１３の画面を更新して、その新たな投稿メッセージを含む取得された投稿メッセージを表示部１３に表示させる（Ｓ２８）。一方、取得した投稿メッセージに新たな投稿メッセージが含まれない場合（Ｓ２７でＮＯ）、投稿メッセージを表示する表示部１３の画面がそのまま維持される。処理ユニット１１は、終了条件が満たされるまで（Ｓ２９）、前記キーワードを含む投稿メッセージをＳＮＳのサーバから取得して表示部１３に表示させる処理（Ｓ２６、Ｓ２７、Ｓ２８）を繰り返し実行する。
【００３５】
目的地に対応する場所で開催されるイベントが、例えば、ＴドームでのボーカルグループＧのコンサートである場合、グループ名「Ｇ」をキーワードとして生成することができる。この場合、例えば、図４に示すように、ＳＮＳからグループ名「Ｇ」を含む投稿メッセージＭａ、Ｍｂ、Ｍｃ・・・が選択的に取得され、表示部１３に表示される。
【００３６】
上述したようにして投稿メッセージの表示（出力）に係る処理が行われている過程で、所定の終了条件（例えば、操作部１２での終了操作が行われる等）が満たされると（Ｓ２９でＹＥＳ）、処理ユニット１１は、一連の処理を終了させる。
【００３７】
なお、イベントの検索処理により（Ｓ２２）、該当するイベントが得られない場合（Ｓ２３でＮＯ）、処理ユニット１１は、例えば、その旨を表示部１３に表示等して、一連の処理を終了させる。
【００３８】
上述したような車載装置１００（情報処理装置）によれば、ナビゲーションユニット１８により設定された目的地を表す目的地情報が取得されるとともに、現在の日付を表す日付情報が取得されると、その日付情報にて表される日付に、前記目的地情報に基づいて特定される場所で開催されるイベントを表すイベント情報が取得される。そして、そのイベント情報に基づいて生成されるキーワードを含む投稿メッセージがＳＮＳのサーバから選択的に取得され、その投稿メッセージが表示部１３に表示される（図４参照）。これにより、車両の乗員（運転者）は、イベントの帰りに、そのイベントに関連したキーワード（例えば、イベントの名称やグループ名「Ｇ」）を設定する等の操作を行うことなく、その目的地に対応する場所で開催されたイベントに関連する情報を含む投稿メッセージを閲覧することができる。
【００３９】
前述した実施の形態に係る情報処理装置としての車載装置１００では、通信部１９が直接ＳＮＳのサーバと通信を行うものであったが、これに限定されず、無線（Ｂｌｕｅｔｏｏｔｈ（登録商標）、ＷｉＦｉなど）または有線にて接続されるスマートフォン等の携帯端末を介してＳＮＳから提供される投稿メッセージを取得することができる。その際、携帯端末にてＳＮＳから特にイベントに関する制限なく取得された投稿メッセージから、更に、前記イベント情報に基づいて生成されるキーワードに関連する投稿イベントを選択的に取得するようにしてもよい。
【００４０】
上述した車載機器１００（情報処理装置）では、イベント情報に基づいて生成されるキーワードを含む投稿メッセージが取得されたが、これに限定されず、キーワードから所定のアルゴリズム（連想等のアルゴリズム）に従って特定することのできる投稿メッセージ等、キーワードと何らかの関連のある情報を含む投稿メッセージを取得するようにしてもよい。また、投稿メッセージの出力態様は、表示部１３での表示に限定されることなく、例えば、音声出力であってもよい。
【００４１】
更に、本発明に係る情報処理装置は、ナビゲーション装置（ナビゲーションユニット１８）を搭載する車両に搭載される車載装置１００に限定されず、スマートフォン等の携帯端末であってもよい。この場合、図３に示す処理に代えて、図５に示す処理に従ってＳＮＳから投稿メッセージを取得することができる。
【００４２】
図５において、携帯端末は、ＧＰＳ等の測位ユニットによって検出される位置（例えば、緯度・経度）を表す位置情報を取得し（Ｓ３１）、端末に搭載されるカレンダー機能によって現在の日付を表す日付情報を取得する（Ｓ３３）。そして、携帯端末は、取得した日付情報が表す日付に、取得した位置情報にて表される位置及びその所定近傍領域に含まれる場所で開催されるイベントの検索処理を行う（Ｓ３３）。以後、携帯端末は、前述した車載装置１００での処理（図３参照）と同様の処理（Ｓ２３〜Ｓ２９）を行う。即ち、前記検索処理の結果、前記日付情報にて表される日付に前記位置情報にて表される位置及びその所定近傍領域に含まれる場所で開催されるイベントがある場合（Ｓ２３でＹＥＳ）、携帯端末は、そのイベントを表すイベント情報を取得する（Ｓ２４）。そして、携帯端末は、ＳＮＳのサーバと通信を行って、前記イベント情報に基づいて生成されるキーワードを含む投稿メッセージを選択的に取得して表示部に表示させる（Ｓ２５〜Ｓ２９）。
【００４３】
このような携帯端末（情報処理装置）によれば、取得される日付情報にて表される日付に、取得される位置情報に基づいて特定される場所で開催されるイベントを表すイベント情報に基づいてキーワードが生成され、そのキーワードに関連する投稿メッセージがＳＮＳから選択的に取得されて表示されるので、イベントに参加して当該携帯端末を利用する利用者は、当該イベントに関連したキーワードを設定する等の煩わしい操作を行うことなく、当該携帯端末の位置、即ち、利用者の位置に対応した場所で開催される前記イベントに関連した情報を含む投稿メッセージを閲覧することができる。
【産業上の利用可能性】
【００４４】
以上のように、本発明に係る情報処理装置は、煩わしい操作を行うことなく、イベントに関連した情報を含む、ＳＮＳからの投稿メッセージを容易に取得して出力させることができるという効果を有し、ツイッター（登録商標）やフェイスブック（登録商標）等のＳＮＳが提供する投稿メッセージを取得して、表示等出力する情報処理装置として有用である。
【符号の説明】
【００４５】
１１  処理ユニット
１２  操作部
１３  表示部
１４  記憶部
１５  出力回路
１６  スピーカ
１７  ＡＶユニット
１８  ナビゲーションユニット
１９  通信部
１００  車載装置（情報処理装置）
【図１】
2015219748.tif 000003
【図２】
2015219748.tif 000004
【図３】
2015219748.tif 000005
【図４】
2015219748.tif 000006
【図５】
2015219748.tif 000007